(57)【特許請求の範囲】
【請求項１】
本体部と蓋により構成され、上方に開口した筒状の硬貨収納装置であって、前記本体部は、硬貨を投入する投入部と、棒状硬貨になりやすい状態で落下させ収納部に送るための、前記硬貨収納装置内部の上下に間隔をおいて水平に形成された複数枚の妨害板と、前記妨害板の下方に形成され、棒状硬貨にするための複数個の上下方向に貫通した円筒状の収納穴を備えた前記収納部で構成されており、
前記複数枚の妨害板は、それぞれ複数個ずつの同一径の円筒状の貫通穴が周方向に等間隔に設けられ、前記複数枚の妨害板同士の上下の貫通穴の位置が上下方向視で重ならないように形成されており、
前記蓋は、棒状硬貨を取り出すための、前記収納穴と上下方向視で重なり可能な１つ以上の上下方向に貫通した円筒状の取り出し穴と、前記収納部中央から下方に突出した軸を挿入するための軸受け穴と、が開いており、
前記突出した軸は、本体部より蓋が外れない構造を有することを特徴とした硬貨収納装置。
【請求項２】
本体部と蓋により構成され、上方に開口した筒状の硬貨収納装置であって、前記本体部は、硬貨を投入する投入部と、棒状硬貨になりやすい状態で落下させ収納部に送るための、前記硬貨収納装置内部の上下に間隔をおいて水平に形成された２枚の妨害板と、前記妨害板の下方に形成され、棒状硬貨にするための４個の上下方向に貫通した円筒状の収納穴を備えた前記収納部で構成されており、
前記２枚の妨害板は、それぞれ４個ずつの同一径の円筒状の貫通穴が周方向に等間隔に設けられ、前記複数枚の妨害板同士の上下の貫通穴の位置が上下方向視で略４５度ずつずれて形成されており、
前記蓋は、棒状硬貨を取り出すための、前記収納穴と上下方向視で重なり可能な１つの上下方向に貫通した円筒状の取り出し穴と、前記収納部中央から下方に突出した軸を挿入するための軸受け穴と、が開いており、
前記突出した軸は、本体部より蓋が外れない構造を有することを特徴とした硬貨収納装置。
【請求項３】
前記突出した軸は筒状であり、蓋の軸受け穴に挿入し、留め具である円盤を有した軸を、蓋に挿入した前記突出した軸に対して差し込むことで、前記収納部と蓋を外れないようにすることを特徴とした請求項１または請求項２に記載の硬貨収納装置。
【発明の詳細な説明】
【技術分野】
【０００１】  本発明は、手作業にて棒状硬貨にする硬貨収納装置に関するものである。
【背景技術】
【０００２】  大量の硬貨を手作業にて棒状硬貨にする際、多くの時間と広い場所を要するという課題があった。
【先行技術文献】
【特許文献】
【０００３】
【特許文献１】特開２０１４−３８５５９号公報
【発明の概要】
【発明が解決しようとしている課題】
【０００４】  従来、大量の硬貨を棒状に整理する装置は電気エネルギーを必要とし、電気エネルギーを利用する事なく単純な操作で硬貨を棒状に整理する装置が存在しないという課題があった。
【課題を解決するための手段】
【０００５】  請求項１の硬貨収納装置は、本体部と蓋により構成され、上方に開口した筒状の硬貨収納装置であって、
前記本体部は、硬貨を投入する投入部と、棒状硬貨になりやすい状態で落下させ収納部に送るための、前記硬貨収納装置内部の上下に間隔をおいて水平に形成された複数枚の妨害板と、前記妨害板の下方に形成され、棒状硬貨にするための複数個の上下方向に貫通した円筒状の収納穴を備えた前記収納部で構成されており、
前記複数枚の妨害板は、それぞれ複数個ずつの同一径の円筒状の貫通穴が周方向に等間隔に設けられ、前記複数枚の妨害板同士の上下の貫通穴の位置が上下方向視で重ならないように形成されており、
前記蓋は、棒状硬貨を取り出すための、前記収納穴と上下方向視で重なり可能な１つ以上の上下方向に貫通した円筒状の取り出し穴と、前記収納部中央から下方に突出した軸を挿入するための軸受け穴と、が開いており、
前記突出した軸は、本体部より蓋が外れない構造を有することを特徴とした硬貨収納装置。
請求項２の硬貨収納装置は、本体部と蓋により構成され、上方に開口した筒状の硬貨収納装置であって、
前記本体部は、硬貨を投入する投入部と、棒状硬貨になりやすい状態で落下させ収納部に送るための、前記硬貨収納装置内部の上下に間隔をおいて水平に形成された２枚の妨害板と、前記妨害板の下方に形成され、棒状硬貨にするための４個の上下方向に貫通した円筒状の収納穴を備えた前記収納部で構成されており、
前記２枚の妨害板は、それぞれ４個ずつの同一径の円筒状の貫通穴が周方向に等間隔に設けられ、前記複数枚の妨害板同士の上下の貫通穴の位置が上下方向視で略４５度ずつずれて形成されており、
前記蓋は、棒状硬貨を取り出すための、前記収納穴と上下方向視で重なり可能な１つの上下方向に貫通した円筒状の取り出し穴と、前記収納部中央から下方に突出した軸を挿入するための軸受け穴と、が開いており、
前記突出した軸は、本体部より蓋が外れない構造を有することを特徴とした硬貨収納装置。
請求項３の硬貨収納装置は、前記突出した軸は筒状であり、蓋の軸受け穴に挿入し、留め具である円盤を有した軸を、蓋に挿入した前記突出した軸に対して差し込むことで、前記収納部と蓋を外れないようにすることを特徴とした請求項１または請求項２に記載の硬貨収納装置。
【発明の効果】
【０００６】  前記構成よりなる本発明は、電気エネルギーを利用することなく、使用方法も極めて単純であるため、同種硬貨を棒状にして集計、保存を容易にすることができる。
【図面の簡単な説明】
【０００７】
【図１】本発明の実施形態の硬貨収納装置の全体の断面図である。
【図２】本発明の実施形態の本体部を示す透視図である。
【図３】本発明の実施形態の蓋を示す斜視図である。
【図４】本発明の実施形態の留め具を示す斜視図である。
【図５】本発明の実施形態の硬貨収納装置の底面斜視図である。
【図６】本発明の実施形態の実験例を説明するための硬貨収納装置全体の寸法図である。
【発明を実施するための形態】
【０００８】  以下、本発明の実施形態の硬貨収納装置について、添付図面に基づいて説明する。
図１に示すように、本体部２と蓋３により構成され、上方に開口した筒状の硬貨収納装置１である。
図２に示すように、前記本体部２は、硬貨を投入する投入部２０と、棒状硬貨になりやすい状態で落下させ収納部２２に送るための、前記硬貨収納装置１内部の上下に間隔をおいて水平に形成された２枚の妨害板２１（２１０ａ、２１０ｂ）と、前記妨害板２１の下方に形成され、棒状硬貨にするための４個の上下方向に貫通した円筒状の収納穴２２０を備えた前記収納部２２で構成されている。
前記２枚の妨害板２１０ａ、２１０ｂは、それぞれ４個ずつの同一径の円筒状の貫通穴２１１が周方向に等間隔に設けられ、前記２枚の妨害板２１０ａ、２１０ｂ同士の上下の貫通穴２１１ａ、２１１ｂの位置が上下方向視で略４５度ずつずれて形成されている。
前記収納部２２中央から下方に突出した筒状の軸２３が設けられている。
図３で示すように、前記蓋３は、棒状硬貨を取り出すための、前記収納穴２２０と上下方向視で重なり可能な１つの上下方向に貫通した円筒状の取り出し穴３０と、軸２３を挿入するための軸受け穴３１と、が開いている。
図４に示すように、留め具４は円盤を有した軸である。
図５に示すように、突出した筒状の軸２３は蓋３の軸受け穴３１に挿入し、留め具４を蓋３に挿入した突出した筒状の軸２３に対して差し込むことで前記本体部２と蓋３を外れないようにすることができる。
【０００９】（動作）
複数の同一硬貨を硬貨収納装置１の投入部２０に投入し、硬貨収納装置１を水平方向に描円運動で振ることにより、複数の硬貨が棒状に収納部２２に整理され、その後収納部２２の穴２２０と、蓋３の取り出し穴３０が一致するように回転させることで複数回に分けて硬貨を棒状に取りだせるようになっている。硬貨収納装置１において、複数の硬貨を棒状に整理する収納部２２の収納穴２２０と、蓋３の取り出し穴３０をずらすことで、収納穴２２０を塞ぎ、棒状に整理した硬貨を保持することができる。
【００１０】［実験例］
図７に示す硬貨収納装置１の寸法で実際に作成し、１００枚の十円硬貨を投入して実際に７０回棒状硬貨にする実験を行ったところ、すべての実験において失敗することなく４つの収納部２２に約２５枚ずつ棒状硬貨にすることができ、蓋３の取り出し穴３０を収納部２２の収納穴２２０に合わせることで４回に分けて取り出すことができた。
また約２８回描円運動をすることで棒状硬貨にすることができた。
【符号の説明】
【００１１】１  …  硬貨収納装置
２  …  本体部
２０  …  投入部
２１  …  妨害板
２１０ａ  …  上部妨害板
２１０ｂ  …  下部妨害板
２１１  …  貫通穴
２１１ａ  …  上部の貫通穴
２１１ｂ  …  下部の貫通穴
２２  …  収納部
２２０  …  収納穴
２３  …  軸
３  …  蓋
３０  …  取り出し穴
３１  …  軸受け穴
４  …  留め具
【要約】
【課題】従来、大量の硬貨を棒状に整理する装置は電気エネルギーを必要とし、電気エネルギーを利用する事なく単純な操作で硬貨を棒状に整理する装置が存在しないという課題がある。
【解決手段】複数の同一硬貨を硬貨収納装置１の投入部２０に投入し、硬貨収納装置１を描円運動で振ることにより、複数の硬貨が棒状に収納部２２に整理され、その後収納部２２の穴２２０と、蓋３の取り出し穴３０が一致するように回転させることで複数回に分けて硬貨を棒状に取りだせるようになっている。硬貨収納装置１において、複数の硬貨を棒状に整理する収納部２２の収納穴２２０と、蓋３の取り出し穴３０をずらすことで、収納穴２２０を塞ぎ、棒状に整理した硬貨を保持することができる。
【選択図】図１【図１】
0006931960.tif 000002
【図２】
0006931960.tif 000003
【図３】
0006931960.tif 000004
【図４】
0006931960.tif 000005
【図５】
0006931960.tif 000006
【図６】
0006931960.tif 000007